(57)【要約】【課題】被処理水の処理効率の向上を図ることができる流入管ユニットおよび沈殿槽を提供することである。【解決手段】実施形態の流入管ユニットは、沈殿槽の内側に配置される被処理水の流入管ユニットであって、流入管と、複数の案内羽根とを持つ。前記複数の案内羽根は、前記流入管の内側に配置され、前記流入管に供給される前記被処理水の流れを変える。前記複数の案内羽根は、前記流入管の軸方向に多段に配置されている。【選択図】図１
2018079440.tif 000002
【特許請求の範囲】
【請求項１】
沈殿槽の内側に配置される被処理水の流入管ユニットであって、
流入管と、
前記流入管の内側に配置され、前記流入管に供給される前記被処理水の流れを変える複数の案内羽根と、
を備え、
前記複数の案内羽根は、前記流入管の軸方向に多段に配置された、
流入管ユニット。
【請求項２】
前記複数の案内羽根は、前記流入管の中心軸を通る鉛直面に対して傾斜して設けられた、
請求項１に記載の流入管ユニット。
【請求項３】
前記複数の案内羽根は、複数の第１案内羽根と、前記複数の第１案内羽根の下方に配置された複数の第２案内羽根とを有し、
前記複数の第１案内羽根は、前記鉛直面に対して第１方向に傾斜し、
前記複数の第２案内羽根は、前記鉛直面に対して前記第１方向とは反対側の第２方向に傾斜した、
請求項２に記載の流入管ユニット。
【請求項４】
前記複数の案内羽根は、前記複数の第２案内羽根の下方に配置された複数の第３案内羽根を有し、
前記複数の第３案内羽根は、前記鉛直面に対して前記第１方向に傾斜した、
請求項３に記載の流入管ユニット。
【請求項５】
前記複数の第１案内羽根の下端部は、略鉛直方向に延びた垂直部を有した、
請求項３または請求項４に記載の流入管ユニット。
【請求項６】
前記複数の案内羽根に含まれる少なくとも一部の案内羽根は、下方に進むに従い水平方向に対する傾斜が小さくなる曲面状に形成された、
請求項１から請求項５のいずれか１項に記載の流入管ユニット。
【請求項７】
前記流入管の下方に配置され、前記流入管から供給される前記被処理水を衝突により鉛直方向とは交差する方向に分散させる分配機構をさらに備えた、
請求項１から請求項６のいずれか１項に記載の流入管ユニット。
【請求項８】
前記分配機構は、互いに異なる高さに分かれて配置されるとともにそれぞれ斜め下方に傾いた複数の斜め分散プレートを有した、
請求項７に記載の流入管ユニット。
【請求項９】
前記分配機構は、前記流入管から供給される前記被処理水を複数の流れに分流する分流筒を有し、前記分流筒は、分流した前記被処理水の複数の流れを前記複数の斜め分散プレートに向けて導く、
請求項８に記載の流入管ユニット。
【請求項１０】
前記複数の斜め分散プレートに含まれる１つの斜め分散プレートは、環状に形成されて前記分流筒の下端に取り付けられた、
請求項９に記載の流入管ユニット。
【請求項１１】
前記分配機構は、前記分流筒を含む複数の分流筒を有し、前記複数の分流筒は、それぞれ前記流入管から供給される前記被処理水を複数の流れに分流するとともに、分流した前記被処理水の複数の流れを前記複数の斜め分散プレートに向けて導く、
請求項９または請求項１０に記載の流入管ユニット。
【請求項１２】
槽体と、
請求項１から請求項１１のいずれか１項に記載の流入管ユニットと、
を備えた沈殿槽。
【発明の詳細な説明】
【技術分野】
【０００１】
本発明の実施形態は、流入管ユニットおよび沈殿槽に関する。
【背景技術】
【０００２】
流入管から槽体内に供給された被処理水が槽体の内壁面に沿って上昇し、槽体上部の溢流部から清澄水となって流出する沈殿槽が知られている。
ところで、沈殿槽は、処理効率の向上が期待されている。
【先行技術文献】
【特許文献】
【０００３】
【特許文献１】特許第４６９６６４６号公報
【発明の概要】
【発明が解決しようとする課題】
【０００４】
本発明が解決しようとする課題は、処理効率の向上を図ることができる流入管ユニットおよび沈殿槽を提供することである。
【課題を解決するための手段】
【０００５】
実施形態の流入管ユニットは、沈殿槽の内側に配置される被処理水の流入管ユニットであって、流入管と、複数の案内羽根とを持つ。前記複数の案内羽根は、前記流入管の内側に配置され、前記流入管に供給される前記被処理水の流れを変える。前記複数の案内羽根は、前記流入管の軸方向に多段に配置されている。
【図面の簡単な説明】
【０００６】
【図１】第１の実施形態の沈殿槽を示す断面図。
【図２】図１中に示された流入管ユニットのＦ２−Ｆ２線に沿う断面図。
【図３】図２中に示された流入管ユニットのＦ３−Ｆ３線に沿う断面図。
【図４】第１の実施形態の案内羽根の配置構成の一例を模式的に示す図。
【図５】第１の実施形態の案内羽根の作用を模式的に説明する図。
【図６】第１の実施形態の案内羽根の作用を模式的に説明する図。
【図７】第１の実施形態の案内羽根の作用を模式的に説明する図。
【図８】第１の実施形態の第１変形例の案内羽根の作用を模式的に説明する図。
【図９】第１の実施形態の第２変形例の案内羽根の作用を模式的に説明する図。
【図１０】第２変形例に対する比較例の案内羽根の作用を模式的に説明する図。
【図１１】第１の実施形態の第３変形例の流入管ユニットを示す断面図。
【図１２】第１の実施形態の第４変形例の流入管ユニットを示す断面図。
【図１３】第２の実施形態の沈殿槽を示す断面図。
【図１４】第２の実施形態の分配機構を示す斜視図。
【図１５】第３の実施形態の沈殿槽を示す断面図。
【図１６】第４の実施形態の沈殿槽を示す断面図。
【発明を実施するための形態】
【０００７】
以下、実施形態の流入管ユニットおよび沈殿槽を、図面を参照して説明する。なお以下の説明では、同一または類似の機能を有する構成に同一の符号を付す。そして、それら構成の重複する説明は省略する場合がある。
【０００８】
（第１の実施形態）
まず、図１から図７を参照し、第１の実施形態について説明する。
本実施形態の沈殿槽１は、例えば、工業廃水などの被処理水に含まれる微小のＳＳ（懸濁物質または浮遊物質）を被処理水から分離させる沈殿槽であり、例えば沈降分離法が用いられる沈殿槽である。
【０００９】
図１は、本実施形態の沈殿槽１を示す断面図である。
図１に示すように、沈殿槽１は、槽体１１、被処理水供給部１２、流入管ユニット１３、溢流堰１４、被処理水排出部１５、掻寄機構１６、および汚泥引抜管１７を有する。なお図１中では、被処理水の流れを破線の矢印で、またフロックの流れを実線の矢印で模式的に示す。
【００１０】
槽体１１は、円筒状または多角形状などの筒状に形成された容器である。槽体１１は、例えば、底壁２１と、底壁２１の周縁部から上方に向けて起立した周壁２２とを含む。槽体１１は、内部に被処理水を貯留するとともに、フロックを沈殿させる。なお「フロック」とは、凝縮作用などによって生成された塊状物を意味し、例えば浮遊物質を含む被処理水中に凝縮剤などが添加されることで生じる綿くず状の塊状物を意味する。槽体１１は、内部に貯留する被処理水の流れを均一化できるように、例えば槽体１１の中心軸１１ｃを鉛直方向と略一致させて設置されている。また、槽体１１の底壁２１の中央部には、沈殿物を槽体１１の外部に排出する排出口２１ａが設けられている。排出口２１ａには、汚泥引抜管１７が接続されている。
【００１１】
被処理水供給部１２は、例えば槽体１１の外側から槽体１１の内側に延びた流入トラフ（または供給配管など）である。本願で言う「トラフ」とは、溝を形成する構造体を意味する。被処理水供給部１２は、後述する溢流堰１４よりも上方に配置され、流入管ユニット１３の上端に接続されている。被処理水供給部１２は、処理対象の被処理水を流入管ユニット１３内に上方から連続的に供給する。
【００１２】
流入管ユニット１３は、槽体１１の内側（すなわち、沈殿槽１の内側）に配置され、被処理水供給部１２から供給された被処理水を槽体１１内に流入させる。本実施形態の流入管ユニット１３は、流入管３１と、流入管３１の内側に設けられた複数の案内羽根３２とを備える。なお、案内羽根３２については、詳しく後述する。
【００１３】
流入管３１は、槽体１１の内側に配置されている。本願で言う「槽体の内側に配置される」とは、槽体１１の内側に流入管３１の少なくとも一部が配置されることを意味する。流入管３１は、「センターウェル」または「フィードウェル」などと称されてもよい。被処理水供給部１２は、流入管３１の上部に接続され、被処理水を流入管３１内に上方から供給する。
【００１４】
流入管３１は、例えば円筒状または多角形状などの筒状に形成されている。流入管３１は、流入管３１の中心軸３１ｃを鉛直方向と略一致させて配置されている。例えば、流入管３１の中心軸３１ｃは、槽体１１の中心軸１１ｃと略一致する。流入管３１の下端３１ａは、槽体１１の底壁２１から離れている。流入管３１の下端３１ａと槽体１１の底壁２１との間には、被処理水が略水平方向に分散して流れる流路が形成されている。被処理水供給部１２から流入管３１内に供給された被処理水は、流入管３１内を下方に向けて流れ、流入管３１の下端３１ａの開口部３１ｂから槽体１１内に供給される。例えばこの過程で、フロックの一部が被処理水から分離して沈殿する。流入管３１から槽体１１内に供給された被処理水は、槽体１１の周壁２２の内壁面２２ａと流入管３１の外周面との間をゆっくりと上昇する。この過程でも、フロックの一部が被処理水から分離して沈殿する。
【００１５】
掻寄機構１６は、掻寄シャフト４１、駆動モータ４２、支持部材４３、および複数の掻寄板４４を有する。掻寄シャフト４１は、槽体１１の中心部（流入管３１の中心部）に配置されている。掻寄シャフト４１は、流入管３１の中心軸３１ｃと略平行な方向で、流入管３１を貫通して延びている。例えば、掻寄シャフト４１の中心軸は、槽体１１の中心軸１１ｃと略一致する。駆動モータ４２は、直接または伝達機構などを介して掻寄シャフト４１を回転させる。支持部材４３は、掻寄シャフト４１の下部に連結されている。複数の掻寄板４４は、支持部材４３に取り付けられ、槽体１１の底部（沈殿槽１の底部）に配置されている。このような構成の掻寄機構１６によれば、掻寄シャフト４１は、駆動モータ４２によって駆動されて支持部材４３および複数の掻寄板４４を回転させる。これにより、槽体１１の底壁２１に沈殿した沈殿物が底壁２１の中央部に向けて掻寄せられる。掻寄られた沈殿物は、底壁２１の中央部に設けられた排出口２１ａおよび汚泥引抜管１７を通じて槽体１１の外部に排出される。
【００１６】
溢流堰１４は、槽体１１の上部に設けられている。溢流堰１４は、この溢流堰１４の上端から溢れた被処理水を収容できるように槽体１１内に溝状に設けられている。例えば、溢流堰１４は、槽体１１の周壁２２の内壁面２２ａに沿って設けられている。溢流堰１４は、フロックの分離除去が行われて清浄化された被処理水を被処理水排出部１５に流出させる。
【００１７】
被処理水排出部１５は、例えば溢流堰１４の内部に連通するとともに槽体１１の外側に延びた流出トラフ（または排出配管など）である。被処理水排出部１５は、溢流堰１４の上端から溢れた被処理水を槽体１１の外部に流出させる。槽体１１の外部に流出された被処理水は、例えばさらに他の処理が行われて、ユースポイントに送出される。
【００１８】
次に、流入管３１の内側に設けられた複数の案内羽根３２について説明する。
図１に示すように、複数の案内羽根３２は、流入管３１の内側に配置されている。複数の案内羽根３２の各々は、流入管３１の中心軸３１ｃを通る仮想的な鉛直面ＶＳに対して傾斜した傾斜板である（図３参照）。複数の案内羽根３２は、流入管３１に供給される被処理水が案内羽根３２にぶつかることで、被処理水の流れを変える。なお、案内羽根３２は、「傾斜板」と称されてもよい。
【００１９】
図２は、図１中に示された流入管ユニット１３のＦ２−Ｆ２線に沿う断面図である。
図２に示すように、複数の案内羽根３２は、流入管３１の内面３１ｉに取り付けられている。複数の案内羽根３２は、流入管３１の内面３１ｉから流入管３１の内側（例えば流入管３１の中心部）に向けて延びている。複数の案内羽根３２の各々は、例えば流入管３１の内面３１ｉに沿う扇形の平板である。複数の案内羽根３２は、流入管３１の中心軸３１ｃの周方向Ｄ１において、互いの間に間隔を空けて並べられている。なお、流入管３１の中心軸３１ｃの周方向Ｄ１とは、流入管３１の中心軸３１ｃの周りを回転する方向である。なお本願で言う「周方向」との言葉は、流入管３１が円筒状であることを限定するものではない。上述したように、流入管３１は、例えば多角形状の筒状でもよい。
【００２０】
図３は、図２中に示された流入管ユニット１３のＦ３−Ｆ３線に沿う断面図である。
図３に示すように、本実施形態では、複数の案内羽根３２は、流入管３１の中心軸３１ｃの軸方向Ｄ２に多段に配置されている。なお、流入管３１の中心軸３１ｃの軸方向Ｄ２とは、流入管３１の中心軸３１ｃと略平行な方向である。
【００２１】
詳しく述べると、複数の案内羽根３２は、流入管３１の中心軸３１ｃの軸方向Ｄ２において、複数段（第１段Ｓ１、第２段Ｓ２、第３段Ｓ３、および第４段Ｓ４）に分かれて配置されている。複数の案内羽根３２は、第１段Ｓ１に配置された複数の第１案内羽根３２Ａ、第２段Ｓ２に配置された複数の第２案内羽根３２Ｂ、第３段Ｓ３に配置された複数の第３案内羽根３２Ｃ、および第４段Ｓ４に配置された複数の第４案内羽根３２Ｄを含む。複数の第２案内羽根３２Ｂは、流入管３１の内側で複数の第１案内羽根３２Ａの下方に配置されている。複数の第３案内羽根３２Ｃは、流入管３１の内側で複数の第２案内羽根３２Ｂの下方に配置されている。複数の第４案内羽根３２Ｄは、流入管３１の内側で複数の第３案内羽根３２Ｃの下方に配置されている。また、複数の第１案内羽根３２Ａ、複数の第２案内羽根３２Ｂ、複数の第３案内羽根３２Ｃ、および複数の第４案内羽根３２Ｄの各々は、各段において、図２に示すように流入管３１の中心軸３１ｃの周方向Ｄ１に互いの間に間隔を空けて並べられている。なお、複数の案内羽根３２の配置構成は、本実施形態のような４段構成に限定されず、２段構成または３段構成でもでもよく、５段以上の構成でもよい。
【００２２】
図３に示すように、複数の第１案内羽根３２Ａ、複数の第２案内羽根３２Ｂ、複数の第３案内羽根３２Ｃ、および複数の第４案内羽根３２Ｄの各々は、流入管３１の中心軸３１ｃを通る鉛直面ＶＳに対して傾斜している（例えば周方向Ｄ１に向けて傾斜している）。なお、複数の第１案内羽根３２Ａ、複数の第２案内羽根３２Ｂ、複数の第３案内羽根３２Ｃ、および複数の第４案内羽根３２Ｄの傾斜角度は、流入管３１の中心軸３１ｃから見た場合に、例えば、流入管３１の中心軸３１ｃ（鉛直線）に対して３０°〜８０°の範囲内であることが好ましく、４０°〜７０°の範囲内であることがより好ましく、５０°〜６０°の範囲内であることがさらに好ましい。ただし、複数の第１案内羽根３２Ａ、複数の第２案内羽根３２Ｂ、複数の第３案内羽根３２Ｃ、および複数の第４案内羽根３２Ｄの傾斜角度は、上記例に限定されない。
【００２３】
本実施形態では、第２案内羽根３２Ｂおよび第４案内羽根３２Ｄの傾斜方向は、第１案内羽根３２Ａおよび第３案内羽根３２Ｃの傾斜方向に対して交差する方向である。例えば、複数の第１案内羽根３２Ａおよび複数の第３案内羽根３２Ｃは、流入管３１の中心軸３１ｃから見た場合、鉛直面ＶＳに対して第１方向に傾斜している。一方で、複数の第２案内羽根３２Ｂおよび複数の第４案内羽根３２Ｄは、流入管３１の中心軸３１ｃから見た場合、鉛直面ＶＳに対して第１方向とは反対側の第２方向に傾斜している。すなわち、案内羽根３２は、鉛直方向で隣り合う別の案内羽根３２に対して、周方向Ｄ１の傾斜が逆向きになるように設けられている。また本実施形態では、各案内羽根３２は、それぞれの直上の案内羽根３２の上面を延長した仮想的な延長面ＥＳよりも上方に突出している。
【００２４】
次に、案内羽根３２の配置構成の一例および作用を詳しく説明する。
図４は、複数の案内羽根３２（例えば第１案内羽根３２Ａ）の配置構成の一例を示す。なお、例えば、第２案内羽根３２Ｂ、第３案内羽根３２Ｃ、および第４案内羽根３２Ｄについても同様である。
【００２５】
図４に示すように、各案内羽根３２は、流入管３１の中心軸３１ｃから見ると（流入管３１の中心軸３１ｃから放射状に見ると）、仮想的な鉛直軸線ＶＬ（または鉛直面ＶＳ）に対して斜めに交差している。ここで、各案内羽根３２の鉛直軸線ＶＬに対する傾斜角度を、θ（ただし、θは鋭角）とする。各案内羽根３２の傾斜の向きは、互いに同方向である。また、傾斜方向に沿う各案内羽根３２の長さを、Ｌとする。
【００２６】
複数の案内羽根３２の水平方向の間隔Ｘは、適宜の間隔に設定可能である。図４に示す例では、複数の案内羽根３２が上下方向で互いに少なくとも一部が重なるように複数の案内羽根３２の水平方向の間隔Ｘが決められている。すなわち、Ｘ＜Ｌｓｉｎθの関係を満たすように、複数の案内羽根３２の配置間隔が決められている。ただし、複数の案内羽根３２は、上下方向で互いに重ならないように離してよい。すなわち、Ｘ≧Ｌｓｉｎθの関係を満たすように、複数の案内羽根３２が配置されてもよい。
【００２７】
図４に示すように、案内羽根３２は、例えば平均流速Ｖｄの被処理水Ｗｆの下降流が進入する領域に配置されている。周方向Ｄ１で隣り合う複数の案内羽根３２の間に進入する被処理水Ｗｆは、複数の案内羽根３２の間を各案内羽根３２の傾斜方向に沿って流速Ｕで流れる。このため、鉛直方向に速度Ｖｆで流れるフロックｆは、複数の案内羽根３２の間を、鉛直軸線ＶＬに対してより浅い角度θｆ（θｆ＜θ）で傾斜した斜め方向に、速さＵｆで沈降する。このため、例えば案内羽根３２の上端Ｏ点の近傍のフロックｆは、フロックｆ’のように、１つ隣りの案内羽根３２の下端Ｐ点の近傍に着地する。これはフロックｆの沈降距離が最大の場合であるが、Ｏ点よりも右側（隣の案内羽根に近づく側）にフロックｆがある場合は、フロックｆの沈降地点は、案内羽根３２上のＰ点よりも右側（上側）となり短くなる。従って、図中に示した案内羽根３２の場合、複数の案内羽根３２内に流入したフロックｆは、全て案内羽根３２の上に沈降することになる。
【００２８】
図５から図７は、案内羽根３２の作用を模式的に説明する図である。
図５に示すように、隣り合う複数の案内羽根３２の間を下降するフロックｆは、いずれもフロックｆ’’のように、いずれかの案内羽根３２の表面に着地する。そして、案内羽根３２上に着地したフロックｆ’’は、案内羽根３２上を転がりながら下方に移動する。
【００２９】
ここで、図６に示すように、各案内羽根３２の表面には、すでに多数のフロックｆが着地している。このフロック層の上側には、被処理水Ｗｆが案内羽根３２の傾斜方向に沿って下方に向けて流れている。このため、フロック層内のフロックｆは、下方に押し流され、案内羽根３２の表面上を転がって移動する。この移動中に、フロックｆは、案内羽根３２上の他のフロックｆとの接触を繰り返すことで、より大きな塊状物に成長する。このため、案内羽根３２の上端近傍のフロックｆｕよりも、案内羽根３２の下端近傍のフロックｆｄの方が大きくなる。成長したフロックｆｄは、被処理水Ｗｆの流れの影響を受けにくくなるため、被処理水からスムーズに分離して案内羽根３２の下方に沈降する。
【００３０】
図７に示すように、本実施形態では、各第１案内羽根３２Ａは、流入管３１の中心軸３１ｃから見て、鉛直軸線ＶＬに対して、角度θ１（ただし、θ１は鋭角）で傾斜している。一方で、各第２案内羽根３２Ｂは、流入管３１の中心軸３１ｃから見て、鉛直軸線ＶＬに対して、角度θ２（ただし、θ２は鋭角であり、鉛直面ＶＳに対してθ１とは逆向きの角度）で傾斜している。このため、本実施形態では、被処理水Ｗｆは、複数の第１案内羽根３２Ａの間および複数の第２案内羽根３２Ｂの間を通過して下降する間に、被処理水Ｗｆの流れる方向が切り換えられる。すなわち、被処理水Ｗｆは、複数の第１案内羽根３２Ａの間では第１方向に傾斜して下降する。一方で、被処理水Ｗｆは、複数の第１案内羽根３２Ａの間から複数の第２案内羽根３２Ｂの間に進入すると、第１方向とは交差する第２方向に傾斜して下降する。
【００３１】
このため、第１案内羽根３２Ａの下端から斜めに下降するフロックｆは、第２案内羽根３２Ｂの上端部あるいは上端部に位置する他のフロックｆに当たった後、第２案内羽根３２Ｂに沿って第１案内羽根３２Ａとは反対向きの斜め方向に転がって下降する。すなわち、フロックｆの移動方向における周方向成分が変化する。これにより、フロックｆのより多くの面が他のフロックｆと接触する。これにより、フロックｆの成長がさらに促進される。また本実施形態では、被処理水Ｗｆが第１案内羽根３２Ａから第２案内羽根３２Ｂに乗り移る際に、被処理水Ｗｆの流れも大きく変わるため、被処理水Ｗｆ中の微細フロックやフロックｆ同士の塊状物の形成もさらに促進される。これにより、フロックｆの沈殿効率がさらに向上する。なお上記作用は、被処理水Ｗｆおよびフロックｆが第２案内羽根３２Ｂから第３案内羽根３２Ｃに移る際、および第３案内羽根３２Ｃから第４案内羽根３２Ｄに移る際も同様である。以上のようにして成長したフロックｆは、被処理水から分離して槽体１１の下部に汚泥として沈殿する。
【００３２】
また、流入管３１を流れる被処理水Ｗｆは、多段に配置された案内羽根３２のなかで最下段の案内羽根３２（例えば第４案内羽根３２Ｄ）に衝突することで、斜め下方に向いた流れ方向となって流入管３１から槽体１１内に供給される。さらに言えば、被処理水Ｗｆは、複数の案内羽根３２（例えば第４案内羽根３２Ｄ）の間を通ることで、流入管３１の中心軸３１ｃを回転中心とするゆるやかな渦巻流（旋回流）の状態で流入管３１から槽体１１内に供給される。
【００３３】
流入管３１の下端３１ａから槽体１１内に供給される被処理水Ｗｆがゆるやかな渦巻流の状態にあると、被処理水Ｗｆは、水平方向に移動する力が作用しているため、単に鉛直下方に向けて供給される場合に比べて槽体１１内で分散されやすくなる。このため、被処理水Ｗｆが単に鉛直下方に向けて槽体１１内に供給される場合に比べて、被処理水Ｗｆの鉛直方向の流速が小さくなる。被処理水Ｗｆの鉛直方向の流速が小さくなると、槽体１１の底壁２１に沈殿、堆積しているフロックｆを含む汚泥の巻き上げが抑制される。
【００３４】
また、流入管３１から槽体１１内に供給された被処理水Ｗｆは、その流れ方向が槽体１１の周壁２２の内壁面２２ａに向かう流れとなる。そして、槽体１１の内壁面２２ａに到達した被処理水Ｗｆの一部は、槽体１１の内壁面２２ａに沿って上昇する上昇流となる。この上昇流に含まれるフロックｆは、近くのフロックｆと会合することで塊状になりながら沈降する。また、槽体１１の内壁面２２ａに到達した被処理水Ｗｆの他の一部は、槽体１１内で下降する下降流となる。この下降流に含まれるフロックｆは、近くのフロックｆと会合することで塊状になりながらそのまま沈降する。このようにして沈降したフロックｆは、槽体１１の下部に汚泥として沈殿する。
【００３５】
ここで、ゆるやかな渦巻流の状態で流入管３１から槽体１１内に供給された被処理水Ｗｆの少なくとも一部は、渦巻流の流れの影響で槽体１１内を大きくゆっくり旋回しながら槽体１１の内壁面２２ａに向けて流れる。このため、流入管３１の下端３１ａから槽体１１の内壁面２２ａに向けて直線状（放射状）に被処理水Ｗｆが流れる場合に比べて、被処理水Ｗｆが槽体１１の内壁面２２ａに到達するまでの移動距離（移動時間）が長くなる。これにより、フロックｆの成長および沈殿がさらに促進される。
【００３６】
また、ゆるやかな渦巻流の状態で流入管３１から槽体１１内に供給された被処理水Ｗｆの少なくとも一部は、槽体１１の内壁面２２ａと流入管３１の外周面との間の流路を大きく旋回しながら上方に向けてゆっくりと流れる。このため、被処理水Ｗｆが水面に到達するまでの移動距離（槽体１１内での滞留時間）が長くなる。これにより、フロックｆの成長および沈殿がさらに促進される。
【００３７】
以上のような構成によれば、被処理水の処理効率の向上を図ることができる。すなわち、本実施形態の流入管ユニット１３は、流入管３１と、複数の案内羽根３２とを備えている。複数の案内羽根３２は、流入管３１の内側に配置され、流入管３１に供給される被処理水の流れを変える。そして、複数の案内羽根３２は、流入管３１の軸方向Ｄ２に多段に配置されている。このような構成によれば、多段の案内羽根３２を通過するときフロックが成長しやすくなり、被処理水からフロックが分離しやすくなる。特に本実施形態の構成では、被処理水の流れ方向とフロックの沈降方向とが同じ下向きであるため、フロックの沈降が妨げられにくく、フロックの沈降性能をより効果的に高めることができる。
【００３８】
本実施形態では、複数の案内羽根３２は、複数の第１案内羽根３２Ａと、この複数の第１案内羽根３２Ａの下方に配置された複数の第２案内羽根３２Ｂとを有する。複数の第１案内羽根３２Ａは、第１方向に傾斜している。複数の第２案内羽根３２Ｂは、第１方向とは反対側の第２方向に傾斜している。このような構成によれば、被処理水が複数の第１案内羽根３２Ａの間から複数の第２案内羽根３２Ｂの間に入るときに、フロックの流れ方向が大きく変化する。これにより、微細フロックやフロック同士が接触してさらに成長しやすくなる。これにより、フロックの沈降性能をさらに高めることができる。
【００３９】
本実施形態では、複数の案内羽根３２は、複数の第２案内羽根３２Ｂの下方に配置された複数の第３案内羽根３２Ｃを有する。複数の第３案内羽根３２Ｃは、第１方向に傾斜している。このような構成によれば、被処理水が流入管３１を通過する間に、フロックの流れ方向が複数回に亘って大きく変化する。これにより、微細フロックやフロック同士が接触してさらに成長しやすくなる。これにより、フロックの沈降性能をさらに高めることができる。
【００４０】
本実施形態では、第２案内羽根３２Ｂの上端部は、第１案内羽根３２Ａの上面の延長面ＥＳよりも上方に突出している。このような構成によれば、第１案内羽根３２Ａと第２案内羽根３２Ｂとの境界部において、フロックが第１案内羽根３２Ａの上から第２案内羽根３２Ｂの上に安定して移ることができる。これにより、第１案内羽根３２Ａで成長したフロックの分解が抑制され、第２案内羽根３２Ｂでフロックをさらに大きく成長させることができる。これにより、フロックの沈殿効率をさらに高めることができる。
【００４１】
次に、本実施形態のいくつかの変形例について説明する。なお、以下に説明する以外の構成は、上記実施形態の構成と同様である。また、これら変形例は、後述する第２から第４の実施形態と組み合わされて適用されてもよい。
【００４２】
（第１変形例）
図８は、第１変形例の案内羽根３２の作用を模式的に説明する図である。
図８に示すように、本変形例では、第１案内羽根３２Ａの下端部は、略鉛直方向に延びた垂直部（折曲部）５１を有する。言い換えると、垂直部５１は、第１案内羽根３２Ａの上端部および中央部に対して略鉛直下向きに折り曲げられている。例えば、第１案内羽根３２Ａの垂直部５１は、複数の第２案内羽根３２Ｂの間の隙間に向けて延びている。
【００４３】
本変形例では、第１案内羽根３２Ａの下端部に移動したフロックｆは、垂直部５１に沿って下方に沈降する。フロックｆは，垂直部５１が面する第２案内羽根３２Ｂの上に着地し、第２案内羽根３２Ｂの傾斜に沿って転がって下降する。このため、フロックｆは、第１案内羽根３２Ａから第２案内羽根３２Ｂに円滑に乗り移ることができる。
【００４４】
また、垂直部５１は、第１案内羽根３２Ａの下面に沿って流れる被処理水Ｗｆの流れ方向を下方に向けて変えるガイド板としても機能する。このため、被処理水Ｗｆの流れ方向が円滑に変えられる。さらに、垂直部５１が設けられると、第１案内羽根３２Ａと第２案内羽根３２Ｂとの境界部における被処理水Ｗｆの乱れを抑制することができる。すなわち、フロックｆの移動方向および被処理水Ｗｆの流れの向きが円滑に切り換えられるため、方向転換の際にフロックｆが飛散することを抑制することができる。
【００４５】
以上のような構成によっても、上記第１の実施形態と同様に、被処理水の処理効率の向上を図ることができる。さらに本実施形態では、複数の第１案内羽根３２Ａの下端部は、略鉛直方向に延びた垂直部５１を有する。このような構成によれば、被処理水およびフロックが第１案内羽根３２Ａから第２案内羽根３２Ｂにスムーズに移動することができる。これにより、第１案内羽根３２Ａで成長したフロックの分解が抑制され、第２案内羽根３２Ｂでフロックをさらに大きく成長させることができる。これにより、フロックの沈殿効率をさらに高めることができる。なお、垂直部５１は、第２案内羽根３２Ｂの下端部、第３案内羽根３２Ｃの下端部、および第４案内羽根３２Ｄの下端部に設けられてもよい。この場合、フロックの沈殿効率をさらに高めることができる。
【００４６】
（第２変形例）
図９は、第２変形例の案内羽根３２の作用を模式的に説明する図である。
図９に示すように、本変形例では、複数の案内羽根３２（例えば、第１案内羽根３２Ａ、第２案内羽根３２Ｂ、第３案内羽根３２Ｃ、および第４案内羽根３２Ｄ）に含まれる少なくとも一部の案内羽根３２は、下方に進むに従い水平方向の傾斜が小さくなる曲面状に形成されている。言い換えると、複数の案内羽根３２は、下方に向けて凸となる曲面状に形成されている。
【００４７】
図１０は、第２変形例に対する比較例として、平状の案内羽根３２の作用を模式的に説明する図である。図１０中のＢ部は、案内羽根３２にフロックが沈降する寸前の範囲を示している。
【００４８】
一方で、図９中のＡ部は、案内羽根３２にフロックが沈降する寸前の範囲を示している。図９に示すように、案内羽根３２が湾曲していると、フロックが沈降する寸前の範囲であるＡ部は、図１０中のＢ部に比べてフロックが沈降する寸前の範囲が小さくなる。Ａ部が小さくなると、この範囲でのフロックはＢ部よりも密集することになるため、微細フロックやフロック同士の塊状物の形成をさらに効果的に促進することができる。これにより、フロックの沈殿効率をさらに高めることができる。
【００４９】
（第３変形例）
図１１は、第３変形例の案内羽根３２を示す断面図である。
図１１に示すように、本変形例では、第１案内羽根３２Ａ、第２案内羽根３２Ｂ、第３案内羽根３２Ｃ、および第４案内羽根３２Ｄの全てが鉛直面ＶＳに対して第１方向に傾けて設けられている。また本変形例では、案内羽根３２の上面の延長面ＥＳと、その１つ下の段の案内羽根３２の上面とが略揃えられている。このような構成によっても、多段の案内羽根３２を通過するときフロックが成長しやすくなり、被処理水の処理効率の向上を図ることができる。
【００５０】
（第４変形例）
図１２は、第４変形例の案内羽根３２を示す断面図である。
図１２に示すように、本変形例でも、第１案内羽根３２Ａ、第２案内羽根３２Ｂ、第３案内羽根３２Ｃ、および第４案内羽根３２Ｄの全てが鉛直面ＶＳに対して第１方向に傾けて設けられている。また本変形例では、案内羽根３２の上面の延長面ＥＳと、その１つ下の段の案内羽根３２の上面とは離れている。このような構成によっても、多段の案内羽根３２を通過するときフロックが成長しやすくなり、被処理水の処理効率の向上を図ることができる。
【００５１】
（第２の実施形態）
次に、図１３を参照して、第２の実施形態について説明する。本実施形態は、流入管３１の下方に分配機構６０が設けられた点で第１の実施形態とは異なる。なお、以下に説明する以外の構成は、第１の実施形態と同様である。
【００５２】
図１３は、本実施形態の沈殿槽１を示す断面図である。
図１３に示すように、本実施形態の流入管ユニット１３は、流入管３１の下方に分配機構（分散機構）６０を有する。分配機構６０は、流入管３１の下端３１ａと槽体１１の底壁２１との間に配置され、流入管３１の開口部３１ｂに下方から面する。本実施形態の分配機構６０は、略水平方向に沿う複数の分散プレート６１，６２，６２によって形成されている。複数の分散プレート６１，６２，６３は、第１分散プレート６１、第２分散プレート６２、および第３分散プレート６３を含む。第１分散プレート６１、第２分散プレート６２、および第３分散プレート６３は、互いに異なる高さに配置されている。例えば、第１分散プレート６１は、３つの分散プレート６１，６２，６３のなかで最も上方（最も流入管３１の下端３１ａの近く）に配置されている。第３分散プレート６３は、３つの分散プレート６１，６２，６３のなかで最も下方（最も槽体１１の底壁２１の近く）に配置されている。第２分散プレート６２は、第１分散プレート６１と第３分散プレート６３との間に配置されている。第１分散プレート６１、第２分散プレート６２、および第３分散プレート６３は、それぞれ例えば円形状または多角形状に形成されている。
【００５３】
図１４は、本実施形態の分配機構６０を示す斜視図である。
図１４に示すように、第１分散プレート６１は、第１開口部６５を有する。第２分散プレート６２は、第２開口部６６を有する。第２開口部６６は、第１開口部６５よりも小さい。掻寄シャフト４１は、第１開口部６５および第２開口部６６を通って延びている。第１分散プレート６１および第２分散プレート６２は、図示しない連結機構を介して第３分散プレート６３に固定されている。第３分散プレート６３は、掻寄シャフト４１との間に隙間を空ける開口部を有しない。第３分散プレート６３は、掻寄シャフト４１に固定されている。なお、第１分散プレート６１、第２分散プレート６２、および第３分散プレート６３の少なくともいずれかは、流入管３１に固定されてもよい。
【００５４】
図１３に示すように、流入管３１から槽体１１内に供給された被処理水の一部は、第１分散プレート６１が設けられた高さで第１分散プレート６１に衝突する。第１分散プレート６１に衝突した被処理水は、第１分散プレート６１によって鉛直方向とは交差する方向に分散される。同様に、流入管３１から槽体１１内に流入した被処理水の別の一部は、第２分散プレート６２が設けられた高さで第２分散プレート６２に衝突する。第２分散プレート６２に衝突した被処理水は、第２分散プレート６２によって鉛直方向とは交差する方向に分散される。さらに、流入管３１から槽体１１内に流入した被処理水のさらに別の一部は、第３分散プレート６３が設けられた高さで第３分散プレート６３に衝突する。第３分散プレート６３に衝突した被処理水は、第３分散プレート６３によって鉛直方向とは交差する方向に分散される。
【００５５】
すなわち、分散プレート６１，６２，６３は、流入管３１から槽体１１内に流入する被処理水の流れ方向を、被処理水が分散プレート６１，６２，６３に衝突することにより鉛直方向とは交差する方向に変える。これにより、分散プレート６１，６２，６３は、流入管３１から槽体１１内に流入する被処理水を、鉛直方向とは交差する方向に分散させる。
【００５６】
このような構成によれば、流入管３１から槽体１１内に流入する被処理水が分散プレート６１，６２，６３によって鉛直方向とは交差する方向に分散されるので、槽体１１の底壁２１の上に沈殿した汚泥が巻上げられることを抑制することができる。これにより、被処理水の処理効率のさらなる向上を図ることができる。また別の観点で見ると、分散プレート６１，６２，６３によって汚泥が巻上げられることが抑制されると、流入管３１の下端３１ａを槽体１１の底壁２１の近くに配置することできる。これにより、沈殿槽１の高さを低くすることができる。
【００５７】
さらに本実施形態では、流入管３１から槽体１１内に流入する被処理水は、外周側から順番に第１分散プレート６１、第２分散プレート６２、および第３分散プレート６３に別々に衝突する。すなわち、被処理水は、各分散プレート６１，６２，６３に段階的に衝突して分散されるため、１枚の分散板によって分散させる場合に比べて、効率的に分散させることができる。これにより、槽体１１内で被処理水の流れが局所的に速くなることなどを抑制することができる。これにより、槽体１１内における被処理水の滞留時間をさらに長くすることができ、被処理水の処理効率のさらなる向上を図ることができる。なお、分配機構６０は、１枚または２枚の分散プレートのみを有してもよく、または多段に配置された４枚以上の分散プレートを有してもよい。
【００５８】
（第３の実施形態）
次に、図１５を参照して、第３の実施形態について説明する。本実施形態は、分配機構６０が複数の分流筒８１，８２を有した点で第２の実施形態とは異なる。なお、以下に説明する以外の構成は、第２の実施形態と同様である。
【００５９】
図１５は、本実施形態の沈殿槽１を示す断面図である。
図１５に示すように、本実施形態の分配機構６０は、第１分散プレート６１、第２分散プレート６２、第３分散プレート６３、第１分流筒８１、および第２分流筒８２を有する。
【００６０】
第１分流筒８１および第２分流筒８２の各々は、円筒状または多角形状などの筒状に形成され、両端部に開口部を有する。第１分流筒８１および第２分流筒８２の各々は、流入管３１から槽体１１内に供給される被処理水を複数の流れに分流する。すなわち、第１分流筒８１は、第１分流筒８１に向けて流れた被処理水を、第１分流筒８１の外周側に流れる流れと、第１分流筒８１の内周側に流れる流れとに分ける。同様に、第２分流筒８２は、第２分流筒８２に向けて流れた被処理水を、第２分流筒８２の外周側に流れる流れと、第２分流筒８２の内周側に流れる流れとに分ける。
【００６１】
本実施形態では、第１分流筒８１および第２分流筒８２の各々は、略鉛直方向に沿って配置され、両端部の開口部を上下方向に向けている。第２分流筒８２の水平方向の外形（平面視における外形）は、第１分流筒８１の水平方向の外形よりも小さい。第２分流筒８２は、第１分流筒８１の内側に配置されている。例えば、第１分流筒８１および第２分流筒８２は、槽体１１の中心軸１１ｃ（掻寄シャフト４１）を中心とする同心円状に配置されている。
【００６２】
これにより、槽体１１内には、第１流路９１、第２流路９２、および第３流路９３が形成されている。第１流路９１は、流入管３１の内面３１ｉと第１分流筒８１の外周面との間に形成される。第２流路９２は、第１分流筒８１の内周面と第２分流筒８２の外周面との間に形成される。第３流路９３は、第２分流筒８２の内側に形成される。
【００６３】
また本実施形態では、第１分流筒８１および第２分流筒８２の上端は、流入管３１の内側に挿入されている。一方で、第１分流筒８１の下端８１ａおよび第２分流筒８２の下端８２ａは、流入管３１の下端３１ａよりも下方に位置する。また、第２分流筒８２は、第１分流筒８１に比べて、より下方まで延びている。すなわち、第２分流筒８２の下端８２ａは、第１分流筒８１の下端８１ａよりも下方に位置する。
【００６４】
また、第１分散プレート６１は、第１開口部６５を有し、環状に形成されている。第１開口部６５の形状および大きさは、第１分流筒８１の外形の形状および大きさと略同じである。第１分散プレート６１の内周端部６１ａは、第１分流筒８１の下端８１ａに取り付けられている。これにより、第１分散プレート６１と第１分流筒８１とは、一体に形成されている。なお本願で言う「内周端部」とは、環状に形成された部材の内周面と、前記部材のなかで前記内周面に隣接した縁部との少なくとも一方を含む領域である。
【００６５】
同様に、第２分散プレート６２は、第１開口部６６を有し、環状に形成されている。第２開口部６６の形状および大きさは、第２分流筒８２の外形の形状および大きさと略同じである。第２分散プレート６２の内周端部６２ａは、第２分流筒８２の下端８２ａに取り付けられている。これにより、第２分散プレート６２と第２分流筒８２とは、一体に形成されている。なお本実施形態では、第１分散プレート６１、第２分散プレート６２、および第３分散プレート６３は、それぞれ略水平方向に沿って配置されている。
【００６６】
次に、本実施形態の分配機構６０の作用について説明する。
図１５に示すように、流入管３１内を下方に向けて流れる被処理水の一部は、流入管３１の下端３１ａにおいて上記第１流路９１に入る。第１流路９１に入った被処理水は、第２流路９２および第３流路９３に入った被処理水とは分離された状態で、第１分散プレート６１に向けて流れて第１分散プレート６１に衝突する。これにより、第１流路９１に入った被処理水は、第１分散プレート６１によって鉛直方向とは異なる方向に分散される。
【００６７】
同様に、流入管３１内を下方に向けて流れる被処理水の別の一部は、流入管３１の下端３１ａにおいて第２流路９２に入る。第２流路９２に入った被処理水は、第１流路９１および第３流路９３に入った被処理水とは分離された状態で、第２分散プレート６２に向けて流れて第２分散プレート６２に衝突する。これにより、第２流路９２に入った被処理水は、第２分散プレート６２によって鉛直方向とは異なる方向に分散される。
【００６８】
また、流入管３１内を下方に向けて流れる被処理水のさらに別の一部は、流入管３１の下端３１ａにおいて第３流路９３に入る。第３流路９３に入った被処理水は、第１流路９１および第２流路９２に入った被処理水とは分離された状態で、第３分散プレート６３に向けて流れて第３分散プレート６３に衝突する。これにより、第３流路９３に入った被処理水は、第３分散プレート６３によって鉛直方向とは異なる方向に分散される。
【００６９】
すなわち、本実施形態では、分配機構６０は、流入管３１から槽体１１内に供給される被処理水を複数の流れに分流する第１分流筒８１を有する。第１分流筒８１は、分流した被処理水の複数の流れを、第１分散プレート６１および第２分散プレート６２に向けて別々に導く。このような構成によれば、第１分散プレート６１および第２分散プレート６２に対してそれぞれ安定した量の被処理水を衝突させることができる。これにより、分配機構６０によって被処理水をより効率的に分散させることができる。これにより、被処理水の処理効率のさらなる向上を図ることができる。
【００７０】
本実施形態では、分配機構６０は、複数の分流筒（第１分流筒８１および第２分流筒８２）を有する。第１分流筒８１および第２分流筒８２は、それぞれ流入管３１から槽体１１内に供給される被処理水を複数の流れに分流するとともに、分流した被処理水の複数の流れを３つの分散プレート６１，６２，６３に向けて別々に導く。このような構成によれば、３つ以上の分散プレート６１，６２，６３に対してもそれぞれ安定した量の被処理水を衝突させることができる。これにより、被処理水の処理効率のさらなる向上を図ることができる。
【００７１】
（第４の実施形態）
次に、図１６を参照して、第４の実施形態について説明する。本実施形態は、分配機構６０が分散プレート６１，６２，６３に代えて斜め分散プレート１０１，１０２，１０３を有した点で第３の実施形態とは異なる。なお、以下に説明する以外の構成は、第３の実施形態と同様である。
【００７２】
図１６は、本実施形態の沈殿槽１を示す断面図である。
図１６に示すように、本実施形態の分配機構６０は、第１斜め分散プレート１０１、第２斜め分散プレート１０２、第３斜め分散プレート１０３、第１分流筒８１、および第２分流筒８２を有する。
【００７３】
第１斜め分散プレート１０１、第２斜め分散プレート１０２、および第３斜め分散プレート１０３は、互いに異なる高さに配置されているとともに、それぞれ斜め下方に傾斜している。具体的には、第１斜め分散プレート１０１、第２斜め分散プレート１０２、および第３斜め分散プレート１０３の各々は、槽体１１の中心軸１１ｃから槽体１１の内壁面２２ａに向けて進むに従い、高さが低くなるように傾斜している。つまり、第１斜め分散プレート１０１、第２斜め分散プレート１０２、および第３斜め分散プレート１０３の各々は、円錐台状の傾斜部（傾斜リング）を形成している。
【００７４】
なお、第１斜め分散プレート１０１、第２斜め分散プレート１０２、および第３斜め分散プレート１０３は、水平方向に対して傾斜している点を除き、第３の実施形態の第１分散プレート６１、第２分散プレート６２、および第３分散プレート６３と略同じである。すなわち、第１斜め分散プレート１０１は、環状に形成されるとともに、内周端部１０１ａが第１分流筒８１の下端に取り付けられている。第１斜め分散プレート１０１は、例えば第１分流筒８１と一体に形成されている。同様に、第２斜め分散プレート１０２は、環状に形成されるとともに、内周端部１０２ａが第２分流筒８２の下端に取り付けられている。第２斜め分散プレート１０２は、例えば第２分流筒８２と一体に形成されている。
【００７５】
次に、本実施形態の分配機構６０の作用について説明する。
図１６に示すように、流入管３１内を下方に向けて流れる被処理水の一部は、流入管３１の下端３１ａにおいて上記第１流路９１に入る。第１流路９１に入った被処理水は、第２流路９２および第３流路９３に入った被処理水とは分離された状態で、第１斜め分散プレート１０１に向けて流れ、第１斜め分散プレート１０１が設けられた高さで第１斜め分散プレート１０１に衝突する。これにより、第１流路９１に入った被処理水は、第１斜め分散プレート１０１によって鉛直方向とは異なる方向（例えば斜め下方）に分散される。
【００７６】
同様に、流入管３１内を下方に向けて流れる被処理水の別の一部は、流入管３１の下端３１ａにおいて第２流路９２に入る。第２流路９２に入った被処理水は、第１流路９１および第３流路９３に入った被処理水とは分離された状態で、第２斜め分散プレート１０２に向けて流れ、第２斜め分散プレート１０２が設けられた高さで第２斜め分散プレート１０２に衝突する。これにより、第２流路９２に入った被処理水は、第２斜め分散プレート１０２によって鉛直方向とは異なる方向（例えば斜め下方）に分散される。
【００７７】
また、流入管３１内を下方に向けて流れる被処理水のさらに別の一部は、流入管３１の下端３１ａにおいて第３流路９３に入る。第３流路９３に入った被処理水は、第１流路９１および第２流路９２に入った被処理水とは分離された状態で、第３斜め分散プレート１０３に向けて流れ、第３斜め分散プレート１０３が設けられた高さで第３斜め分散プレート１０３に衝突する。これにより、第３流路９３に入った被処理水は、第３斜め分散プレート１０３によって鉛直方向とは異なる方向（例えば斜め下方）に分散される。
【００７８】
このような構成によれば、第３の実施形態と同様に、被処理水を安定して分散させることができる。ここで、例えば第３の実施形態の構成では、流入管３１から槽体１１内に供給される被処理水に含まれるフロックが複数の分散プレート６１，６２，６３の上に堆積する場合がある。分散プレート６１，６２，６３に堆積したフロックは、槽体１１の底壁２１の上に落ちにくいので、定期的なメンテナンスが必要になる可能性がある。特に、第１から第４の実施形態のように流入管３１の内側にフロックの成長を促す複数の案内羽根３２が設けられている場合、流入管３１の下方に位置する分散プレート６１，６２，６３の上にはフロックが堆積しやすいと言える。
【００７９】
そこで、本実施形態では、分配機構６０は、流入管３１から槽体１１内に供給される被処理水を鉛直方向とは異なる方向に分散させる分散板として、少なくとも１枚の斜め分散プレート１０１，１０２，１０３を有する。このような斜め分散プレート１０１，１０２，１０３は、斜め下方に傾いているため、これら斜め分散プレート１０１，１０２，１０３に上に沈降したフロックは、斜め分散プレート１０１，１０２，１０３の表面に沿う被処理水の流れによって槽体１１の底壁２１に向けて移動しやすい。これにより、斜め分散プレート１０１，１０２，１０３の上にフロックが堆積することを抑制することができる。これにより、沈殿槽１のメンテナンス性などを向上させることができる。
【００８０】
本実施形態では、少なくとも１つの斜め分散プレート１０１，１０２は、環状に形成されるとともに、内周端部１０１ａ，１０２ａが分流筒８１，８２の下端８１ａ，８２ａに取り付けられている。このような構成によれば、分流筒８１，８２によって安定した量の被処理水が各斜め分散プレート１０１，１０２，１０３に衝突する。これにより、各斜め分散プレート１０１，１０２，１０３に上に沈降したフロックが槽体１１の底壁２１に向けてさらに移動しやすくなる。これにより、沈殿槽１のメンテナンス性などをさらに向上させることができる。
【００８１】
以上、第１から第４の実施形態およびそれに関連した変形例を説明した。ただし、実施形態の構成は、上述した実施形態の構成に限定されない。例えば、分配機構６０は、複数の分流筒８１，８２を有さずに、少なくとも１つの分流筒のみを有してもよい。また、分配機構６０は、分流筒８１，８２を有さずに、少なくとも１枚の斜め分散プレートのみを有してもよい。
【００８２】
以上説明した少なくともひとつの実施形態によれば、沈殿槽が多段に配置された複数の案内羽根を持つことにより、処理効率の向上を図ることができる。
【００８３】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００８４】
１…沈殿槽、１１…槽体、１３…流入管ユニット、３１…流入管、３１ｃ…流入管の中心軸、３２…案内羽根、３２Ａ…第１案内羽根、３２Ｂ…第２案内羽根、３２Ｃ…第３案内羽根、３２Ｄ…第４案内羽根、６０…分配機構、８１，８２…分流筒、１０１，１０２，１０３…斜め分散プレート。
【図１】
2018079440.tif 000003
【図２】
2018079440.tif 000004
【図３】
2018079440.tif 000005
【図４】
2018079440.tif 000006
【図５】
2018079440.tif 000007
【図６】
2018079440.tif 000008
【図７】
2018079440.tif 000009
【図８】
2018079440.tif 000010
【図９】
2018079440.tif 000011
【図１０】
2018079440.tif 000012
【図１１】
2018079440.tif 000013
【図１２】
2018079440.tif 000014
【図１３】
2018079440.tif 000015
【図１４】
2018079440.tif 000016
【図１５】
2018079440.tif 000017
【図１６】
2018079440.tif 000018